(57)【要約】【課題】  ＵＲＬ、ＩＤ、パスワード、ウェブコンテンツを取得・対応付けて複製不可能で着脱可能な記憶媒体に記録できるようにする。【解決手段】  ウェブサイトのサービスを受けられるＰＣにおいて、ＣＰＵ１１は、ネットワークＩ／Ｆ１９を介して表示装置１７に表示させた該当ウェブサイト一覧から所望のウェブサイトを選択させてそのサイトのＵＲＬを取得し、該ＵＲＬのウェブサイト装置にアクセスして認証画面を取得し、表示装置座１７に表示させることにより入力させたＩＤとパスワードを取得し、そのＩＤとパスワードを認証情報としてウェブサイト装置へ送信し、認証結果としてウェブサイト装置から送られてくるウェブコンテンツを取得し、取得したＵＲＬ、ＩＤ、パスワード、ウェブコンテンツを対応付け、ハイブリッドディスク装置２０により複製不可能で着脱可能なハイブリッドディスク２２に保存する。【選択図】        図２
2008071321.tif 000002
【特許請求の範囲】
【請求項１】
ウェブサイト装置の提供するサービスを受けることができる情報処理装置において、当該ウェブサイト装置のＵＲＬ情報を取得するＵＲＬ取得手段と、前記ウェブサイト装置からウェブコンテンツを取得するための認証情報となる個人情報を取得する個人情報取得手段と、該個人情報取得手段により取得された個人情報を前記ウェブサイト装置へ送信する認証情報送信手段と、前記個人情報により認証された結果として前記ウェブサイト装置から送られてくるウェブコンテンツを取得するコンテンツ取得手段と、取得された前記ＵＲＬ情報、個人情報及びウェブコンテンツを対応付け複製不可能で着脱可能な記憶媒体に保存する保存手段とを備えたことを特徴とする情報処理装置。
【請求項２】
請求項１記載の情報処理装置において、前記個人情報取得手段は当該ウェブサイト装置から送られてきた認証画面を用いて前記個人情報として当該利用者の利用者識別情報及びパスワードを入力させ取得し、前記認証情報送信手段は取得された前記利用者識別情報及びパスワードを認証情報として前記ウェブサイト装置へ送信し、前記コンテンツ取得手段は認証された結果として前記ウェブサイト装置から送られてくるウェブコンテンツを取得し、前記保存手段は取得された前記ＵＲＬ情報、利用者識別情報、パスワード及びウェブコンテンツを対応付け複製不可能で着脱可能な記憶媒体に保存する構成にしたことを特徴とする情報処理装置。
【請求項３】
請求項１または２記載の情報処理装置において、前記ウェブコンテンツのデータ形式を汎用的なデータ形式に変換できるか否かを判別する変換可能性判別手段と、該変換可能性判別手段により変換可能と判別された場合に前記ウェブコンテンツのデータ形式を変換する変換手段とを備え、前記保存手段は前記変換手段によりデータ形式が変換されたウェブコンテンツを前記記憶媒体に保存することを特徴とする情報処理装置。
【請求項４】
請求項３記載の情報処理装置において、データ形式の変換が可能である場合、変換して保存するか、変換せずに保存するかを選択する選択手段を備えたことを特徴とする情報処理装置。
【請求項５】
請求項１または２記載の情報処理装置において、当該ウェブサイト装置から取得したウェブコンテンツを再生するために再生プログラムが必要であるか否かを判別する必要性判別手段と、該必要性判別手段により必要である場合には再生プログラムまたは該再生プログラムを取得するためのＵＲＬ情報を当該ウェブサイト装置から取得するプログラム取得手段とを備え、前記保存手段は取得された再生プログラムまたは該再生プログラムを取得するためのＵＲＬ情報を当該ウェブコンテンツに対応付けて前記記憶媒体に保存することを特徴とする情報処理装置。
【請求項６】
ウェブサイト装置の提供するウェブコンテンツを取得して保存するウェブコンテンツ取得保存方法において、当該ウェブサイト装置のＵＲＬ情報を取得し、該ＵＲＬ情報を持つウェブサイト装置にアクセスして認証画面の画面データを取得し、取得された画面データの認証画面を表示させることにより入力された当該利用者の利用者識別情報及びパスワードを取得し、取得された該利用者識別情報及びパスワードを認証情報として前記ウェブサイト装置へ送信し、前記認証情報により認証された結果として前記ウェブサイト装置から送られてくるウェブコンテンツを取得し、取得した前記ＵＲＬ情報、利用者識別情報、パスワード及びウェブコンテンツを対応付け複製不可能で着脱可能な記憶媒体に保存することを特徴とするウェブコンテンツ取得保存方法。
【請求項７】
請求項６記載のウェブコンテンツ取得保存方法において、前記ウェブコンテンツのデータ形式を汎用的なデータ形式に変換できるか否かを判別し、変換可能と判別された場合に前記ウェブコンテンツのデータ形式を変換し、データ形式が変換されたウェブコンテンツを前記記憶媒体に保存することを特徴とするウェブコンテンツ取得保存方法。
【請求項８】
請求項６記載のウェブコンテンツ取得保存方法において、当該ウェブサイト装置から取得したウェブコンテンツを再生するために再生プログラムが必要であるか否かを判別し、必要である場合には再生プログラムまたは該再生プログラムを取得するためのＵＲＬ情報を該ウェブサイト装置から取得し、取得した再生プログラムまたは該再生プログラムを取得するためのＵＲＬ情報を該ウェブコンテンツに対応付けて前記記憶媒体に保存することを特徴とするウェブコンテンツ取得保存方法。
【請求項９】
情報処理装置上で実行されるプログラムにおいて、請求項６、７または８記載のウェブコンテンツ取得保存方法のウェブコンテンツ取得保存を実行させるようにプログラミングされていることを特徴とするプログラム。
【請求項１０】
プログラムを記録した記録媒体において、請求項９記載のプログラムを記録したことを特徴とする記録媒体。
【請求項１１】
請求項１０記載の記録媒体において、該記録媒体を前記複製不可能で着脱可能な記憶媒体とすることを特徴とする記録媒体。
【発明の詳細な説明】
【技術分野】
【０００１】
本発明は、ウェブサイト利用の際に利用者認証のためにウェブサイト装置へ送る利用者識別情報、パスワードなどの取得保管技術、及びそのウェブサイト装置からのコンテンツの取得保管技術に関する。
【背景技術】
【０００２】
従来、ウェブサイト装置はすべての閲覧者に対して同じ情報を提供してきたが、昨今は、利用者ごとにカスタマイズされた情報を提供するために、サイト利用時に認証画面を表示させ、希望する利用者に対して利用者識別情報（以下、ＩＤと称する）とそれに対応したパスワードを入力させて個人を特定する方法（この方法をログインと呼ぶ）を取るケースが多くなっている。特に最近では、インターネットバンキングやショッピングなど金銭や商品の取引を行なうようなウェブサイトも広く利用されており、ＩＤやパスワードが従来のキャッシュカードやクレジットカードに近い存在になっている。このようにＩＤやパスワードの重要性は年々高まり、他人に知られないこと、容易に解析されないことなどが前提となっている。
そのようなことから、これらのウェブサイトの利用者は必然的に、利用するウェブサイトごとに専用のＩＤとパスワードの管理を行う必要がある。複数のウェブサイトで共通のＩＤとパスワードを利用するケースが見受けられるが、これでは、ひとつのＩＤとパスワードが漏洩した場合に、多大な被害をもたらす。
【０００３】
また、ＩＤやパスワードに使用する文字列としては、推測しにくい、可能な限り不規則な文字の組み合わせが望ましい。そのため、複数のウェブサイトのＩＤとパスワードは個別に且つ不規則な文字の組み合わせで構成されることが推奨されているが、このような組み合わせを記憶することは難しく、以下の方法を取る場合が多い。
（１）覚えきれないＩＤやパスワードをメモ用紙や付箋紙などに記述し、コンピュータの周囲に掲示しておく。
（２）覚えきれないＩＤやパスワードをコンピュータ内のファイルに記述しておく。
前者の場合、他人に覗き見される可能性が高いので漏洩しやすい。後者の場合は、一般のテキストファイルなどで保存すると、容易に中身を見られてしまう上に、他の記録媒体に複製されやすい。
【０００４】
以下、特許文献に示された関連する従来技術について説明する。
まず特許文献１だが、この従来技術では、アクセスポイント（サーバ）の電話番号、及びカード使用者のＩＤやパスワードを第１の情報記憶型カードに記憶しておくとともに、ホームページの格納場所を示すＵＲＬ情報を第２の情報記憶型カードに格納しておく。そして、第１の情報記憶型カードに記憶された情報に基づいてサーバへの接続を自動的に行ない、第２の情報記憶型カードに記憶されたＵＲＬ情報を用いてサーバからの情報を取得する。
また、特許文献２に示された従来技術では、ＩＤや暗証番号（パスワード）など利用者認識情報と、サーバ（ウェブサイト装置）に接続するためのアクセスポイント情報など通信設定情報とを予め情報記憶媒体（例えばフラッシュメモリ）に格納しておく。そして、その接続情報に基づいてサーバへの接続を自動的に行なう。また、サーバからの情報をその情報記憶媒体に自動的に格納する。
【０００５】
特許文献３に示された従来技術では、ＩＣカードリーダライダを備え、閲覧したいホームページ（ウェブサイト）のＵＲＬ、ユーザＩＤやパスワードなど個人認識情報が記録されているＩＣカードがそのＩＣカードリーダライダにセットされると、ＩＣカードリーダライダはＩＣカードからＵＲＬを読み出し、そのＵＲＬを持つサーバにそのＵＲＬを送る。これにより、そのサーバが個人認証情報入力用ページを送ってくると、ＩＣカードから個人認識情報を読み出し、それをサーバへおくる。そして、サーバにおいて正当性が認証されると、ホームページコンテンツの閲覧など所望のサービスが可能になる。
【特許文献１】特開平１０−２２２４４６号公報
【特許文献２】特開２０００−０６９１９２公報
【特許文献３】特開２０００−３２２３８３公報
【発明の開示】
【発明が解決しようとする課題】
【０００６】
近年はインフラとしてのパーソナルコンピュータ（以下、ＰＣと称する）が急速に広まっており、ＰＣ本体を持ち歩かなくても、様々な場所でウェブサイト装置にアクセスできる環境にある。このような環境であれば、ＵＲＬ情報や、ＩＤ及びパスワードを持ち歩くことで共通のサービスを受けることができるようになる。そのため、例えばフロッピー（登録商標）ディスクのような可搬性の情報記録媒体に、ＵＲＬ、ＩＤ、パスワード（これらをサイトアクセス情報群と称する）を記録したテキストファイルを記録し持ち運ぶ場合があり、そのような場合、従来技術ではその記録媒体が容易に複製されてしまうという問題があった。また、ＵＲＬ情報、ＩＤ及びパスワードを取得し、それらを対応付けて保存するサイトアクセス情報取得保管技術については明示されていなかった。
本発明は、このような従来技術の問題を解決しようとするものであり、具体的には、サイトアクセス情報群を構成するＵＲＬ情報、ＩＤ及びパスワードを取得し、それらを対応付けて、複製不可能で且つ着脱可能な記憶媒体に記録できるサイトアクセス情報取得保管技術を提供するとともに、併せて、サイトアクセス情報群に対応付けてウェブコンテンツも記憶媒体に格納できるようにして利便性の向上を図ることを目的とする。
【課題を解決するための手段】
【０００７】
前記した課題を解決するために、請求項１記載の情報処理装置は、ウェブサイト装置の提供するサービスを受けることができる情報処理装置において、当該ウェブサイト装置のＵＲＬ情報を取得するＵＲＬ取得手段と、前記ウェブサイト装置からウェブコンテンツを取得するための認証情報となる個人情報を取得する個人情報取得手段と、該個人情報取得手段により取得された個人情報を前記ウェブサイト装置へ送信する認証情報送信手段と、前記個人情報により認証された結果として前記ウェブサイト装置から送られてくるウェブコンテンツを取得するコンテンツ取得手段と、取得された前記ＵＲＬ情報、個人情報及びウェブコンテンツを対応付け複製不可能で着脱可能な記憶媒体に保存する保存手段とを備える。
請求項２記載の情報処理装置は、請求項１記載の情報処理装置において、前記個人情報取得手段は当該ウェブサイト装置から送られてきた認証画面を用いて前記個人情報として当該利用者の利用者識別情報及びパスワードを入力させ取得し、前記認証情報送信手段は取得された前記利用者識別情報及びパスワードを認証情報として前記ウェブサイト装置へ送信し、前記コンテンツ取得手段は認証された結果として前記ウェブサイト装置から送られてくるウェブコンテンツを取得し、前記保存手段は取得された前記ＵＲＬ情報、利用者識別情報、パスワード及びウェブコンテンツを対応付け複製不可能で着脱可能な記憶媒体に保存する構成にする。
【０００８】
請求項３記載の情報処理装置は、請求項１または２記載の情報処理装置において、前記ウェブコンテンツのデータ形式を汎用的なデータ形式に変換できるか否かを判別する変換可能性判別手段と、該変換可能性判別手段により変換可能と判別された場合に前記ウェブコンテンツのデータ形式を変換する変換手段とを備え、前記保存手段は前記変換手段によりデータ形式が変換されたウェブコンテンツを前記記憶媒体に保存する構成にする。
請求項４記載の情報処理装置は、請求項３記載の情報処理装置において、データ形式の変換が可能である場合、変換して保存するか、変換せずに保存するかを選択する選択手段を備える。
請求項５記載の情報処理装置は、請求項１または２記載の情報処理装置において、当該ウェブサイト装置から取得したウェブコンテンツを再生するために再生プログラムが必要であるか否かを判別する必要性判別手段と、該必要性判別手段により必要である場合には再生プログラムまたは該再生プログラムを取得するためのＵＲＬ情報を当該ウェブサイト装置から取得するプログラム取得手段とを備え、前記保存手段は取得された再生プログラムまたは該再生プログラムを取得するためのＵＲＬ情報を当該ウェブコンテンツに対応付けて前記記憶媒体に保存する構成にする。
【０００９】
請求項６記載の方法は、ウェブサイト装置の提供するウェブコンテンツを取得して保存するウェブコンテンツ取得保存方法において、当該ウェブサイト装置のＵＲＬ情報を取得し、該ＵＲＬ情報を持つウェブサイト装置にアクセスして認証画面の画面データを取得し、取得された画面データの認証画面を表示させることにより入力された当該利用者の利用者識別情報及びパスワードを取得し、取得された該利用者識別情報及びパスワードを認証情報として前記ウェブサイト装置へ送信し、前記認証情報により認証された結果として前記ウェブサイト装置から送られてくるウェブコンテンツを取得し、取得した前記ＵＲＬ情報、利用者識別情報、パスワード及びウェブコンテンツを対応付け複製不可能で着脱可能な記憶媒体に保存する構成にする。
【００１０】
請求項７記載の方法は、請求項６記載のウェブコンテンツ取得保存方法において、前記ウェブコンテンツのデータ形式を汎用的なデータ形式に変換できるか否かを判別し、変換可能と判別された場合に前記ウェブコンテンツのデータ形式を変換し、データ形式が変換されたウェブコンテンツを前記記憶媒体に保存する構成にする。
請求項８記載の方法は、請求項６記載のウェブコンテンツ取得保存方法において、当該ウェブサイト装置から取得したウェブコンテンツを再生するために再生プログラムが必要であるか否かを判別し、必要である場合には再生プログラムまたは該再生プログラムを取得するためのＵＲＬ情報を該ウェブサイト装置から取得し、取得した再生プログラムまたは該再生プログラムを取得するためのＵＲＬ情報を該ウェブコンテンツに対応付けて前記記憶媒体に保存する構成にする。
【００１１】
請求項９記載のプリグラムは、情報処理装置上で実行されるプログラムにおいて、請求項６、７または８記載のウェブコンテンツ取得保存方法のウェブコンテンツ取得保存を実行させるようにプログラミングされている構成にする。
請求項１０記載の記録媒体は、プログラムを記録した記録媒体において、請求項９記載のプログラムを記録する。
請求項１１記載の記録媒体は、請求項１０記載の記録媒体において、該記録媒体を前記複製不可能で着脱可能な記憶媒体とする。
【発明の効果】
【００１２】
本発明によれば、取得したＵＲＬ情報、利用者識別情報及びパスワードを対応付け複製不可能で着脱可能な記憶媒体に保存できるので、その記憶媒体を持ち歩くことにより他のＰＣなどからも共通のウェブサイトサービスを受けることができ、且つ、記録媒体の中身が複製され機密が漏洩するのを防止できる。また、ウェブコンテンツもＵＲＬ情報などに対応して保存されるので、利便性が向上する。また、ＵＲＬ情報、利用者識別情報、パスワード及びコンテンツが自動的に取得され、対応付けられ、保存されるので、取得・対応付け・保存の作業が容易になる。
【発明を実施するための最良の形態】
【００１３】
以下、図面を参照して本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明に係るインターネットシステムの概略構成を示すシステム構成図である。図示したように、サービスを受けるクライアント装置としてのＰＣ（パーソナルコンピュータ）１と、サービスを提供するサーバとしてのウェブサイト装置２とがそれぞれ複数台、データ通信網３に接続された構成である。なお、ウェブサイト装置２が提供するサービスとは例えば情報の提供である。
【００１４】
図２はＰＣ１のハードウェアの概略構成を示すブロック図である。図示したように、ＰＣ１は、プログラムに従って動作するＣＰＵ１１、基本的なプログラムが書き込まれているＲＯＭ１２、プログラムやデータを一時的に記憶するＲＡＭ１３、プログラムやデータを保存しておくハードディスク記憶装置（以下、ＨＤＤと称する）１４、そのＨＤＤ１４に対するデータの読み書きなどを制御するＨＤＤ制御部（以下、ＨＤＣと称する）１５、キーボードやマウスなどを有してデータを入力したり指示情報を入力したりする入力装置１６、ウェブサイト装置２から送られてきた画面データをブラウザ上で表示したり入力装置１６により入力されたデータを表示したりする表示装置１７、これら入力装置１６及び表示装置１７を制御する入出力インタフェース部１８、データ通信網３を介して行なわれる他のＰＣ１やウェブサイト装置２との通信を制御するネットワークインタフェース部１９、着脱可能で複製不可能な情報記録媒体である例えばハイブリッドディスク２２に対する読み書きを行なうハイブリッドディスク装置（以下、ＨＢＤＤと称する）２０、そのＨＢＤＤ２０に対するデータの読み書きなどを制御するＨＢＤＤ制御部（以下、ＨＢＤＣと称する）２１などを備えている。
なお、この実施形態では、請求項記載のＵＲＬ取得手段、認証情報送信手段及びコンテンツ取得手段がＣＰＵ１１、ＲＡＭ１３、ネットワークインタフェース部１９などにより実現され、個人情報取得手段がＣＰＵ１１、ＲＡＭ１３、入力装置１６、表示装置１７、入出力インタフェース部１８などにより実現され、保存手段がＣＰＵ１１、ＲＡＭ１３、ＨＢＤＤ２０、ＨＢＤＣ２１などにより実現され、変換可能性判別手段及び変換手段がＣＰＵ１１、ＲＡＭ１３などにより実現される。
【００１５】
以下、本発明の各実施例を説明する。
［実施例１］
この実施例では、図１及び図２に示した構成、図３に示した動作フローで、サイトアクセス情報群（ＵＲＬ情報、ＩＤ、パスワード）とウェブコンテンツを対応付けて着脱可能で複製不可能な情報記録媒体であるハイブリッドディスク２２に記録する。以下、動作フローに従ってこの実施例を説明する。
まず、ＰＣ１ａは、例えば特定のウェブサイト装置２ｂが提供しているウェブ検索機能を用いて検索語に該当するウェブサイトを表示させ、サービスを受けたいウェブサイトをその一覧から選択させ、選択されたウェブサイトのＵＲＬ情報を取得する（ステップ１）。そして、認証画面を持つサービスを提供しているウェブサイト装置２ａへアクセスし（ステップ２）、その認証画面の画面データがＰＣ１ａへ送られてきたとき、ＰＣ１ａのＣＰＵ１１は認証画面を表示させ、表示に応じて利用者が入力装置１６により入力したＩＤ及びパスワードを取得し（ステップ３）、これらのサイトアクセス情報群（ＵＲＬ情報、ＩＤ、パスワード）をセットにして、着脱可能で複製不可能な情報記録媒体であるハイブリッドディスク２２の複数のセクタに保存（記録）する（ステップ４）。
【００１６】
そして、当該ウェブサイト装置２ａへＩＤとパスワードを送り（ステップ５）、それに応じてウェブサイト装置２ａからダウンロードされたウェブコンテンツを取得すると（ステップ６）、そのウェブコンテンツを当該サイトアクセス情報群に対応付けてハイブリッドディスク２２に保存する（ステップ７）。図４に記録（保存）例を示す。ここでは、例えば記録開始セクタを１００とし、セクタごとにＵＲＬ情報、ＩＤ、パスワード、コンテンツの順で記録している。
他のウェブサイト装置２についても必要に応じて同じハイブリッドディスク２２に同様に当該サイトアクセス情報群とそのウェブコンテンツとを対応付けて保存する（図４参照）。
なお、ウェブコンテンツの記録時、例えばコンテンツがストリーミングであってオフラインで閲覧不可能であったり、ＭＰＥＧ２のように一般のＰＣで再生できるかどうか不明であったりする場合で、当該ＰＣ１においてＡＶＩやＭＰＥＧ１に変換可能であるような場合、取得したコンテンツを一般のＰＣで閲覧可能な状態に変換して保存する。これにより、他のＰＣでウェブコンテンツを再生できないという問題を回避できる。
こうして、この実施例によれば、複製不可能で且つ着脱可能な記録媒体に複数のＵＲＬをＩＤやパスワードと対応付けて記録できるので、その記録媒体を持ち歩くことにより他のＰＣ１を用いて容易に所望のウェブサイト装置２にアクセスし、そのウェブサイト装置２のサービスを受けることができるとともに、その記録媒体の内容が複製される危惧を回避できる。また、ＵＲＬ情報、ＩＤ及びパスワードに対応付けて当該ウェブコンテンツを記録できるので、利用者の利便性をさらに向上させることができる。
【００１７】
［実施例２］
この実施例では、例えばＲｅａｌ  Ｍｅｄｉａ形式のようにコンテンツ再生に際して専用のアプリケーションプログラムを必要とするような場合、そのコンテンツを再生するための再生プログラムまたはその再生プログラムを取得するためのＵＲＬ情報を、当該ウェブコンテンツと対応付けて保存する。なお、この実施例では、請求項記載の必要性判別手段がＣＰＵ１１及びＲＡＭ１３により実現され、プログラム取得手段がＣＰＵ１１、ＲＡＭ１３、ネットワークインタフェース部１９などにより実現される。
【００１８】
図５に、この実施例の動作フローを示す。以下、図５に従ってこの実施例を説明する。
まず、ＰＣ１ａは、例えば特定のウェブサイト装置２ｂが提供しているウェブ検索機能を用いて、所望のサービスを提供しているウェブサイトのＵＲＬ情報を取得する（ステップ１１）。そして、そのウェブサイト装置２ｃへアクセスし（ステップ１２）、認証画面の画面データがＰＣ１ａへ送られてきたとき、ＰＣ１ａのＣＰＵ１１はその画面データ中の具体的には、ＰＣ１ａのアプリケーションプログラム側が認証画面の画面データをネットワークインタフェース部１９から取得したとき、ＣＰＵ１１はその認証画面を表示させ、その表示に応じて利用者が入力装置１６により入力したＩＤ及びパスワードを取得し（ステップ１３）、これらのサイトアクセス情報群（ＵＲＬ情報、ＩＤ、パスワード）をセットにして、着脱可能で複製不可能な情報記録媒体であるハイブリッドディスク２２の複数のセクタに保存（記録）する（ステップ１４）。
そして、当該ウェブサイト装置２ｃへＩＤとパスワードを送り（ステップ１５）、ウェブサイト装置２ｃからダウンロードされたウェブコンテンツを取得すると（ステップ１６）、そのウェブコンテンツを当該サイトアクセス情報群に対応付けてハイブリッドディスク２２に保存する（ステップ１７）。
【００１９】
続いて、ＣＰＵ１１はウェブコンテンツを再生するための再生プログラムが必要か否かを判定する（ステップ１８）。取得したウェブコンテンツはその属性としてデータ形式情報を持っているので、そのデータ形式が予め登録した再生プログラムを必要とするデータ形式か否かを判定するのである。例えばＲｅａｌ  Ｍｅｄｉａ形式などが再生プログラムを必要とするデータ形式として登録されていて、再生プログラムが必要である場合には（ステップ１８でＹｅｓ）、再生プログラムまたはその再生プログラムを取得するためのＵＲＬ情報をウェブサイト装置２ｃから取得し（ステップ１９）、その再生プログラムまたはそのＵＲＬ情報を当該ウェブコンテンツに対応付けてハイブリッドディスク２２に保存（記録）する（ステップ２０）。
図６に記録例を示す。ここでは、例えば記録開始セクタを１００とし、セクタごとにＵＲＬ情報、ＩＤ、パスワード、コンテンツ、再生プログラム（またはそのＵＲＬ情報）の順で記録している。
【００２０】
こうして、この実施例によれば、実施例１と同様の効果が得られるとともに、コンテンツ再生に際して専用のアプリケーションプログラムを必要とするような場合、そのコンテンツを再生するための再生プログラムまたはその再生プログラムを取得するためのＵＲＬ情報を、当該ウェブコンテンツと対応付けて保存できるので、専用のアプリケーションプログラムを持たないＰＣなどでもウェブコンテンツを再生できる。
以上、本発明の実施例を一実施形態について説明したが、説明したようなウェブコンテンツ取得保存方法に従ってプログラミングしたプログラムを着脱可能な記録媒体に記録し、その記録媒体をこれまで本発明によったウェブコンテンツ取得保存を行なえなかったパーソナルコンピュータなど情報処理装置に装着することにより、または、そのようなプログラムをネットワーク経由でそのような情報処理装置へ転送することにより、そのような情報処理装置においても本発明によったウェブコンテンツ取得保存を行なうことができる。なお、この記録媒体として、実施例１及び実施例２で用いたＵＲＬ情報などを保存する記憶媒体を用いることも可能である。
【図面の簡単な説明】
【００２１】
【図１】本発明に係るインターネットシステムの概略構成を示すシステム構成図である。
【図２】本発明の一実施形態としてパーソナルコンピュータのハードウェアの概略構成を示すブロック図である。
【図３】本発明の第１の実施例としてパーソナルコンピュータにおけるウェブサイトアクセス時の動作フローを示すフロー図である。
【図４】本発明の第１の実施例として記録媒体に記録される内容を示すデータ構成図である。
【図５】本発明の第２の実施例としてパーソナルコンピュータにおけるウェブサイトアクセス時の動作フローを示すフロー図である。
【図６】本発明の第２の実施例として記録媒体に記録される内容を示すデータ構成図である。
【符号の説明】
【００２２】
１  パーソナルコンピュータ、２  ウェブサイト装置、３  データ通信網、１１  ＣＰＵ、１３  ＲＡＭ、１６  入力装置、１７  表示装置、１９  ネットワークインタフェース部、２０  ハイブリッドディスク装置、２２  ハイブリッドディスク
【図１】
2008071321.tif 000003
【図２】
2008071321.tif 000004
【図３】
2008071321.tif 000005
【図４】
2008071321.tif 000006
【図５】
2008071321.tif 000007
【図６】
2008071321.tif 000008